(57)【要約】【課題】  簡易に、床暖房マット等の踏み感を損ねることなく流体分岐ヘッダーを固定することができる、流体分岐ヘッダーの取り付け構造を提供する。【解決手段】  冷房および／または暖房用マットに冷／熱媒体を循環供給する流体分岐ヘッダーの下地への取り付け構造であって、前記流体分岐ヘッダーは、ヘッダー本体と、該本体の少なくとも一つの側面に前記本体の厚みより小さな外径を有する複数の配管連結部を備え、さらに、前記配管連結部を押さえ込む固定治具と、該固定治具を前記下地に固定する固定金具とを具備し、前記固定治具は、前記複数の配管連結部にまたがり前記ヘッダーの厚み延長線の中に納まる配管押さえ部と、前記固定金具を受け入れるとともに平面視において前記ヘッダーの前記複数の配管連結部の間に前記ヘッダーの厚み方向に形成された一つの金具挿入部とを備えることを特徴とする、取り付け構造とする。【選択図】      図１
2007032978.tif 000002
【特許請求の範囲】
【請求項１】
冷房および／または暖房用マットに冷／熱媒体を循環供給する流体分岐ヘッダーの下地への取り付け構造であって、
前記流体分岐ヘッダーは、ヘッダー本体と、該本体の少なくとも一つの側面に前記本体の厚みより小さな外径を有する複数の配管連結部を備え、
さらに、前記配管連結部を押さえ込む固定治具と、該固定治具を前記下地に固定する固定金具とを具備し、
前記固定治具は、前記複数の配管連結部にまたがり前記ヘッダーの厚み延長線の中に納まるヘッダー押さえ部と、前記固定金具を受け入れるとともに平面視において前記ヘッダーの前記複数の配管連結部の間に前記ヘッダーの厚み方向に形成された一つの金具挿入部とを備えることを特徴とする、取り付け構造。
【請求項２】
前記固定金具は、断面形状が略「Ｔ」字状であり、固定状態においてその固定金具が実質的に前記固定治具を押さえつけている部位が前記配管連結部の軸心を基準として前記下地の反対側に配置されていることを特徴とする請求項１に記載の取り付け構造。
【請求項３】
前記固定治具の幅は前記ヘッダー本体の幅と同じかそれよりも小さく形成されていることを特徴とする請求項１または２に記載の取り付け構造。
【発明の詳細な説明】
【技術分野】
【０００１】
本発明は、暖房用マット等に媒体を循環供給する流体分岐ヘッダーの取り付け構造に関する。
【背景技術】
【０００２】
一般住宅、集合住宅、ホテル、病院、高齢者養護施設などの建造物において、居住性を高める目的で、床面に敷設した暖房マットからの輻射熱によって暖房する床暖房システムが一般的になりつつある。かかる床暖房システムは、床暖房マット内の配管を流れる熱媒によって温まった床面からの輻射熱により、室内を暖房するものである。また、配管を流れる媒体を冷熱媒体とすることによって室内を冷房する床冷房装置も、実用化に向けて開発が行われている。
【０００３】
床暖房マットには、熱源機から連絡配管によって運ばれた液体媒体を、床暖房マット入り口で、床暖房マット内の一またはそれ以上の配管回路に分配するための流体分岐ヘッダーが使用されている。流体分岐ヘッダーは、側面に有する配管連結部で複数の配管と連結されるが、従来の配管と連結する際の問題点として、配管としては通常は弾性のある可撓性チューブが使用されているために、配管の曲げ癖等によって、配管連結部で配管と連結された流体分岐ヘッダーが浮き上がってしまい、この上に積層すべき表装材の施工が困難になってしまうということがあった。この問題に対応するため、特許文献１には、流体分岐ヘッダーを、全体を覆うカバー部材によって固定することが開示されており、また、特許文献２には、流体分岐ヘッダーの温水パイプの接続部と、その反対側の面に設けられた突出部とを固定することが開示されている。
【特許文献１】特開２００４−２９３１６０号公報
【特許文献２】特開２００５−９８３５号公報
【発明の開示】
【発明が解決しようとする課題】
【０００４】
しかしながら、流体分岐ヘッダーに対して特許文献１のような流体分岐ヘッダーの上面を覆う固定具を使用すると、床暖房マットのヘッダー部の厚みが固定具の厚さ分、余計に厚くなってしまうため、その部分の踏み感が悪くなりやすいという問題があった。また、特許文献２の固定部材は、連絡配管連結部と突出部でそれぞれ各二個、合計四つの釘を用いて取り付ける必要があるため、取り付けの手間が煩雑であった。さらに、特許文献２の固定部材は、各固定部材の幅が流体分岐ヘッダー基体の幅よりも広いため、この固定部材を固定する場所を確保すべく、流体分岐ヘッダーの周囲に敷設される基材マットを、流体分岐ヘッダー基体から離して設置する必要があった。すると、基材マット上面に軟らかい材質の表装材を敷いた場合、ヘッダー基体と基材マットとの間に生じた隙間の部分の踏み感が悪くなってしまうという問題があった。
【０００５】
そこで本発明は、簡易に、床暖房マット等の踏み感を損ねることなく流体分岐ヘッダーを固定することができる、流体分岐ヘッダーの取り付け構造を提供することを目的とする。
【課題を解決するための手段】
【０００６】
本発明者らは鋭意検討した結果、固定部材の形状等を工夫することで上記課題を解決することができることを見出し、本発明を完成した。
【０００７】
以下、本発明について説明する。なお、本発明の理解を容易にするために添付図面の参照符号を括弧書きにて付記するが、それにより本発明が図示の形態に限定されるものではない。
【０００８】
第一の本発明は、冷房および／または暖房用マットに冷／熱媒体を循環供給する流体分岐ヘッダー（１０）の下地への取り付け構造であって、前記流体分岐ヘッダー（１０）は、ヘッダー本体（５）と、該本体（５）の少なくとも一つの側面に前記本体の厚みより小さな外径を有する複数の配管連結部（１ａ、１ｂ、２ａ〜２ｈ）を備え、さらに、前記配管連結部（１ａ、１ｂ、２ａ〜２ｈ）を押さえ込む固定治具（２０）と、該固定治具（２０）を前記下地に固定する固定金具（３０）とを具備し、前記固定治具（２０）は、前記複数の配管連結部（１ａ、１ｂ、２ａ〜２ｈ）にまたがり前記ヘッダー（１０）の厚み延長線の中に納まるヘッダー押さえ部（２２ａ、２２ｂ）と、前記固定金具（３０）を受け入れるとともに平面視において前記ヘッダー（１０）の前記複数の配管連結部（１ａ、１ｂ、２ａ〜２ｈ）の間に前記ヘッダー（１０）の厚み方向に形成された一つの金具挿入部（２１）とを備えることを特徴とする、取り付け構造を提供して上記課題を解決するものである。
【０００９】
第一の本発明において、前記固定金具（３０）は、断面形状が略「Ｔ」字状であり、固定状態においてその固定金具が実質的に前記固定治具を押さえつけている部位が前記配管連結部（１ａ、１ｂ、２ａ〜２ｈ）の軸心を基準として前記下地の反対側に配置されていることが好ましい。
【００１０】
また、上記第一の本発明において、前記固定治具（２０）の幅は前記ヘッダー本体（５）の幅と同じかそれよりも小さく形成されていることも好ましい。
【発明の効果】
【００１１】
第一の本発明によれば、流体分岐ヘッダーを下地へ取り付けた状態では、固定治具や固定金具が流体分岐ヘッダー厚みより上に突出していないので、この部分の床暖房マットに盛り上がりが発生せず、踏み感が良好である。また、固定金具一つを締め付けることで固定されるので、施工が容易である。
【００１２】
また、第一の本発明において、固定金具が、断面形状が略「Ｔ」字状であり、固定状態においてその下面が配管連結部の軸心より下地の反対側に配置されていれば、配管連結部同士の間は、最小限固定金具の太さ分のスペースがあればよいため、固定金具の頭部の幅を考慮することなく流体分岐ヘッダーの設計を行うことができる。すなわち、流体分岐ヘッダー設計の自由度を増すことができる。
【００１３】
さらに、第一の本発明において、固定治具の幅がヘッダー本体の幅と同じかそれよりも小さく形成されていれば、基材マットとヘッダー本体との間に固定治具を配置するための隙間を作らずに基材マットを敷設することができるため、踏み感をより良好にすることができる。
【００１４】
本発明のこのような作用および利得は、次に説明する発明を実施するための最良の形態から明らかにされる。
【発明を実施するための最良の形態】
【００１５】
以下本発明の取り付け構造を、床暖房用マットに適用した場合を例として、図面に示す実施形態に基づき説明する。なお、床冷房用マットは、流体分岐ヘッダー内を流れる液体媒体が異なるのみであり、以下説明する取り付け構造はそのまま適用される。
【００１６】
図１（ａ）は、流体分岐ヘッダー１０の下地への取り付け構造を示す上面図であり、図１（ｂ）、（ｃ）はその側面図である。流体分岐ヘッダー１０には、平板状のヘッダー本体５の一つの側面に、熱源からの連絡配管と接続するための二本の配管連結部１ａ、１ｂが設けられており、この側面と隣接する二つの側面には、床暖房マット内の配管と接続される配管連結部２ａ〜２ｈが各四つ設けられている。以下では、これらの配管連結部１ａ、１ｂ、２ａ〜２ｈを区別する場合には、連絡配管と接続される二本の配管連結部の方を、連絡配管連結部１ａ、１ｂ、と称し、床暖房マット内の配管と接続される配管連結部の方を、マット内配管連結部２ａ〜２ｈと称する。これら配管連結部１ａ、１ｂ、２ａ〜２ｈは、図１（ｂ）、（ｃ）の側面図から分かるように、いずれも本体５の厚みより小さな外径を有しており、隣接する配管連結部１ａ、１ｂ、２ａ〜２ｈ同士は、ヘッダー本体５側面において高さが互い違いになるように配置されている。流体分岐ヘッダーの詳細な構造は、例えば特開２０００−１９３１７６号公報を参照することができるが、これは例示にすぎず、その構造が制限されるものではない。
【００１７】
図１（ａ）をみると、流体分岐ヘッダー１０の連絡配管連結部１ａ、１ｂには、連結される連絡配管を所定の位置で止めるためのストッパー３が設けられており、ストッパー３とヘッダー本体５の間には、固定治具２０が、二本の連絡配管連結部１ａ、１ｂを覆うように配置され、中央に設けられている一つの金具挿入部２１から、固定金具３０が挿入されることによって下地面に固定されている。また、この実施形態においては、固定治具２０の長手方向の幅は、ヘッダー本体５の幅と略同一とされている。このように固定治具２０の幅をヘッダー本体５の幅と同じかそれよりも小さくすると、ヘッダー本体５の周囲に固定治具２０を配置するための隙間を作らずに基材マットを敷設することができ、この部分の踏み感を損なうことがないため好ましい。
【００１８】
図１（ｂ）の側面図をみると、固定治具２０は、二本の配管連結部１ａ、１ｂの間に配置された金具挿入部２１から左右に延びたヘッダー押さえ部２２ａ、２２ｂにおいて、流体分岐ヘッダーの二本の配管連結部１ａ、１ｂを跨ぎつつ上から押さえ込むことで、流体分岐ヘッダーを固定している。固定治具２０上面の高さは、流体分岐ヘッダー上面の高さと略同じであり、固定された状態の固定治具２０および固定金具３０の高さは、ヘッダー本体５の厚みの中に納まっている。このように、もともとの流体分岐ヘッダー１０の厚みよりも厚くならないように固定されることで、流体分岐ヘッダー１０上面の床暖房マットの踏み感を損ねないようにすることができる。
【００１９】
固定治具２０の金具挿入部２１は、ヘッダー押さえ部の上面２２ａ、２２ｂと同じ高さから流体分岐ヘッダー１０厚み方向に、下地面に接する位置まで連続して形成されており、その上面に、固定金具３０のＴ字状の頭部が位置している。このため、この実施形態においては、固定金具３０の頭部は、連絡配管連結部１ａ、１ｂの軸心よりも上方に、すなわち連絡配管連結部１ａ、１ｂの軸心より下地面の反対側に配置されている。このように、固定金具３０の頭部が配管連結部１ａ、１ｂ、２ａ〜２ｈの軸心より下地面の反対側にくるように金具挿入部２１を設けると、配管連結部１ａ、１ｂ、２ａ〜２ｈ同士の間の幅は、最小限固定金具３０の頭部以外の太さ分のスペースがあればよいことになるため、流体分岐ヘッダー１０の配管連結部１ａ、１ｂ、２ａ〜２ｈ同士の間隔を狭めることができ、ひいては、流体分岐ヘッダー１０設計の自由度を増すことになるため好ましい。
【００２０】
図２（ａ）〜（ｃ）は、本発明に用いられる固定治具２０、２０’、２０”の構造を示す図であり、各図の上側が上面図、下側が側面図である。また、図２（ａ）は、図１の取り付け構造で用いられた固定治具２０である。これらはいずれも配管連結部１ａ、１ｂ、２ａ〜２ｈを覆うヘッダー押さえ部２２ａ、２２ｂ、２２’ａ、２２’ｂ、２２”ａ、２２”ｂを有しており、中央には、厚み方向に形成された、固定金具３０を受け入れるための一つの金具挿入部２１、２１’、２１”を有している。流体分岐ヘッダー１０は、配管連結部１ａ、１ｂ、２ａ〜２ｈの上が押さえ込まれることによって固定されることになるため、固定治具２０、２０’、２０”のヘッダー押さえ部２２ａ、２２ｂ、２２’ａ、２２’ｂ、２２”ａ、２２”ｂは、最低限配管連結部１ａ、１ｂ、２ａ〜２ｈの上を覆う構造さえ有していればよく、図２（ａ）のように上面と外側面を有する形状以外にも、図２（ｂ）や図２（ｃ）のように、外側面がない形状とすることもできる。また、ヘッダー押さえ部２２ａ、２２ｂ、２２’ａ、２２’ｂ、２２”ａ、２２”ｂと金具挿入部２１、２１’、２１”との間の内面の輪郭も、図２（ａ）や（ｂ）のように、配管連結部１ａ、１ｂ、２ａ〜２ｈの形状に合わせた曲面状とする以外にも、図２（ｃ）のように角を有する形状とすることもできる。なお、これら図２（ａ）〜（ｃ）の固定治具２０、２０’、２０”の構造は、二本の配管連結部１ａ、１ｂ、２ａ〜２ｈを固定するためのものであるが、本発明においてはマット内配管連結部２ａ〜２ｈを任意の本数固定することも可能であり、その本数に応じてこれら固定治具２０、２０’、２０”の形状も適宜変更される。
【００２１】
図３（ａ）は、図１の取り付け構造に用いられている流体分岐ヘッダー１０とは異なる構造を有する流体分岐ヘッダー１０’の上面図であり、図３（ｂ）および（ｃ）は、この流体分岐ヘッダー１０’に対する取り付け構造を示す上面図および側面図である。図３（ａ）をみると、この流体分岐ヘッダー１０’の一部には、ヘッダー本体５’の外形を構成する枠がなく、二本の流路４ａ、４ｂが管状に覆われているのみである空間部６が存在している。そして流体分岐ヘッダー１０’の取り付け構造である図３（ｂ）をみると、この空間部６に、ヘッダー本体５’の幅と略同一の幅を有する固定治具２０が、二本の流路４ａ、４ｂを跨ぎつつ、この空間部６に納まるように配置され、中央に設けられた一つの金具挿入部２１から、固定金具３０が挿入されることによって下地面に固定されている。
【００２２】
図３（ｃ）の側面図をみると、固定治具２０上面の高さは、ヘッダー本体５’上面の高さと略同じであり、固定された状態の固定治具２０および固定金具３０の高さは、図１の取り付け構造と同様、流体分岐ヘッダー１０’の厚みの中に納まっている。このように、ヘッダー本体５’に空間部６が存在する流体分岐ヘッダー１０’に対しては、配管連結部１ａ、１ｂ、２ａ〜２ｈ以外にも、この空間部６を利用して、固定治具２０および固定金具３０を用いて同様に流体分岐ヘッダー１０’を固定することができる。
【００２３】
流体分岐ヘッダー固定治具２０、２０’、２０”を構成する材料は特に限定されるものではないが、通常、合成樹脂あるいは金属が用いられる。
【００２４】
合成樹脂は剛性に優れたものが好ましく、具体的には一般用ポリスチレン、ゴム強化ポリスチレン、ＡＢＳ樹脂、ＡＳ樹脂などのスチレン系樹脂、ポリエチレン、ポリプロピレンなどのオレフィン系樹脂、ポリ塩化ビニル、ポリカーボネート、ポリアミド類、ポリアセタール樹脂等が挙げられる。中でも、成形性、加工性、コストなどの観点から、スチレン系樹脂、ポリオレフィン系樹脂が好適である。
【００２５】
また、金属としては、耐食性、コスト、入手性等の観点からステンレス鋼が好ましく、その他、アルミニウム、ヘッダーと同材質のもの等も好ましい。
【００２６】
以上述べてきた流体分岐ヘッダー１０、１０’の取り付け構造は、冷房および／または暖房用マットが設置される場所に応じて、床のみならず、壁面や天井など、任意の場所に適用される。
【００２７】
以上、現時点において、最も、実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う流体分岐ヘッダーの取り付け構造もまた本発明の技術的範囲に包含されるものとして理解されなければならない。
【図面の簡単な説明】
【００２８】
【図１】流体分岐ヘッダーの下地への取り付け構造を示す図である。
【図２】固定治具の上面図および側面図である。
【図３】別の形態の流体分岐ヘッダーおよびその下地への取り付け構造を示す図である。
【符号の説明】
【００２９】
１ａ、１ｂ、１ａ’、１ｂ’、  配管連結部（連絡配管連結部）
２ａ、２ｂ、２ｃ、２ｄ、２ｅ、２ｆ、２ｇ、２ｈ、２ａ’、２ｂ’、２ｃ’、２ｄ’、２ｅ’、２ｆ’、２ｇ’、２ｈ’、  配管連結部（マット内配管連結部）
３  ストッパー
４ａ、４ｂ、  流路
５、５’  ヘッダー本体
６  空間部
１０、１０’  流体分岐ヘッダー
２０、２０’、２０”  固定治具
２１、２１’、２１”  金具挿入部
２２ａ、２２ｂ、２２’ａ、２２’ｂ、２２”ａ、２２”ｂ  ヘッダー押さえ部
３０  固定金具
【図１】
2007032978.tif 000003
【図２】
2007032978.tif 000004
【図３】
2007032978.tif 000005